(57)【特許請求の範囲】
【請求項１】
遺糞症および遺尿症を有する子供が使用するのに適し、前記子供の下着の内側の場所用に設計され、吸収性材料を呈する上側表面および水を通さない下側表面を有する吸収性パッドであって、
吸収性材料を含む吸収性の第１のセクションであって、前記子供の下着の後ろガセットおよび背部エリアに配置されるサイズに構成され、前記子供が前記下着を履いているとき、前記子供の肛門領域に隣接して位置し、当該吸収性の第１のセクションは、縁部を有するとともにメッシュカバーが備えられる、吸収性の第１のセクションと、
前記第１のセクションと分離しているか、あるいは、前記第１のセクションから直接的にまたは間接的に延在する吸収性の第２のセクションであって、前記子供の下着の股エリアに配置されるサイズに構成され、前記子供が前記下着を履いているとき、前記子供の尿道領域に隣接して位置し、当該第２のセクションは細長く前記第１のセクションより小さな面積を有する、吸収性の第２のセクションと、
前記子供の下着の前記内側に前記吸収性セクションを着脱可能に固定するための、前記パッドの前記下側表面上の固定部分と、
前記子供によって把持され得る、前記吸収性の第１のセクションの縁部に位置する１つまたは複数のタブとを備え、
前記タブは、前記下着の中に位置するときに、前記下着の前記縁部で折返され得るように、着脱可能な固定手段を備え、前記固定手段は、前記下着の外側に接触し、前記下着を着脱可能に固定する吸収性パッド。
【請求項２】
前記吸収性の第１のセクションの最大幅は、前記第２のセクションの最小幅の少なくとも１．５倍である請求項１に記載の吸収性パッド。
【請求項３】
前記吸収性の第１のセクションの最大幅は、前記第２のセクションの最小幅の少なくとも２倍である請求項２に記載の吸収性パッド。
【請求項４】
前記吸収性の第１のセクションの面積は、前記吸収性の第２のセクションの面積の少
なくとも２倍である請求項１から３のいずれか１項に記載の吸収性パッド。
【請求項５】
吸収性材料を呈するパッドの前記上側表面は、実質的に平坦である請求項１から４のいずれか１項に記載の吸収性パッド。
【請求項６】
吸収性材料を呈する実質的に平坦な上側表面、および、使用時に下着の内側に接触する、水を通さない下側表面を有し、前記吸収性の第２のセクションが、前記第１のセクションから直接的にまたは間接的に延在する請求項５に記載の吸収性パッド。
【請求項７】
前記吸収性の第１のセクションおよび前記吸収性の第２のセクションは共に、実質的に平坦な上側表面を有する請求項１から６のいずれか１項に記載の吸収性パッド。
【請求項８】
前記吸収性の第１のセクションと前記吸収性の第２のセクションとの両方およびこれらのセクションにつながる任意のエリアが、実質的に平坦な上側表面を有する請求項７に記載の吸収性パッド。
【請求項９】
タブ固定手段を備え、該タブ固定手段は機械式固定デバイスまたは化学的接着剤を含む請求項１から８のいずれか１項に記載の吸収性パッド。
【請求項１０】
前記固定部分は、当該パッドの長さの６０％以上に沿って延在する請求項１から９のいずれか１項に記載の吸収性パッド。
【請求項１１】
前記固定部分は、当該パッドの下側表面の６０％以上にわたって延在する請求項１から１０のいずれか１項に記載の吸収性パッド。
【請求項１２】
前記第１のセクションおよび前記第２のセクションの少なくともいずれかは、石鹸成分が含まれずｐＨバランスがとれたクレンジング剤を含浸する請求項１から１１のいずれか１項に記載の吸収性パッド。
【請求項１３】
請求項１から１２のいずれか１項に記載の吸収性パッドを備え、前記パッドを収容するサイズに作られたパウチと組合わせられたキット。
【請求項１４】
前記パウチは、生分解性プラスチックで作られる請求項１３に記載のキット。
【請求項１５】
前記パウチは、シール可能でかつ再シール可能である請求項１３または請求項１４に記載のキット。
【発明の詳細な説明】
【発明の詳細な説明】
【０００１】
本発明は、子供が使用するための吸収性パッド、特に、遺糞症、遺尿症、または他の関連する問題を有する子供が使用するための吸収性パッドに関する。
遺糞症は、通常、既にトイレを使用するように訓練された子供、通常４歳から１４歳であるが、時として、１６歳程度の子供における、無意識の糞便の漏れを伴う。遺糞症は、完全な排便ではなく、むしろ、液状または半液状の糞便の漏れを伴う。
【０００２】
遺糞症は、便秘によって、便を反射的に我慢することによって、あるいは、生理学的、心理学的、または神経学的障害によって引き起こされる可能性がある。たとえば、子供は、苦痛な便通を経験する場合、その後、苦痛な経験の繰り返しを回避するために、便通を控えようとする可能性がある。これは、硬化した便の蓄積をもたらし、硬化した便は、結腸内で硬化および蓄積し続け、差迫っている排便に伴う正常な感覚が起こらない点まで結腸を伸長させる可能性さえある。最終的に、結腸のより高い所からの軟質便が、閉塞物の周りに漏れ、引っ込められることができず、漏便をもたらす。
【０００３】
したがって、遺糞症を有する子供は、しばしば、自分の下着を糞便物で汚染することになり、これは、日に１０回から２０回程度の頻度になり得る。
遺尿症もまた、子供において起こる可能性があり、この点で、夜間遺尿症（夜尿症）と比較して、日中の尿の漏れが特に言及される。これらの尿の少量の漏れもまた、トイレを使用するように訓練された子供にとって、対処される必要がある。
【０００４】
遺糞症において起こる完全に拡張した結腸は、膀胱に圧力を加え、ある程度の遺尿症をもたらし得る。さらに、トイレに行くことについての恐怖または神経質さの観点から、遺糞症に伴って起こる心理学的問題は遺尿症をもたらし得る。
【０００５】
オムツは、明らかに、尿および糞便沈着物を処理するように設計されているが、一旦トイレの訓練が終了すると、子供をオムツの状態に戻すことは望ましくない。
さらに、ライニングアンダーパンツ（ｌｉｎｉｎｇ  ｕｎｄｅｒｐａｎｔｓ）のための多くの吸収性製品が市場に存在するが、これらは、成人女性用、たとえば、月経用、女性の毎日のリフレッシュ用に、また女性腹圧性尿失禁用に主に設計されている。したがって、これらの製品のサイズおよび形状は、遺糞症を有する子供にとって不適切である。さらに、そのような製品は、女性のような見た目および匂いをもたらすことになるため、遺糞症を有する少年にとっての、設計上の考慮事項が存在する。
【０００６】
成人失禁パッドが存在するが、これらは、成人からの全沈着物を取り込むように設計されているため、肉厚でかつかさばる。成人失禁パッドは、もちろん、成人用下着の中に配置されるサイズにも作られている。したがって、これらの大きな製品を子供の下着の中に配置することは、子供にとっての感じ方および子供にとっての心地の観点から、子供の背部をオムツの中に配置することと相違しない。ほとんどの成人失禁製品はまた、尿失禁に的を絞っており、したがって、糞便沈着物を取り込むように形作られていない。
【０００７】
遺糞症を有する多くの子供は、補助を必要とするよりも、浴室において自分で漏れに対処することができるという自立性を欲することになるため、製品の使用の容易さに対する考慮もされなければならない。同様に、より小さい子供の場合、親または介護者が、事件を処理する場合があるが、慌てている可能性があるか、または、子供と他のアイテムを同時に手に持つ必要があるため、器用さが制限される場合がある。遺糞症に関連して子供が感じる羞恥心または赤面を激化させないように、製品を使用するプロセスが、できる限り簡単でかつ迅速であることを確実にすることも重要である。
【０００８】
したがって、上述した問題を有する子供が使用するのに適した吸収性パッドについての必要性が存在する。
本発明は、第１の態様において、遺糞症および／または遺尿症を有する子供が使用するのに適し、子供の下着の内側の場所用に設計され、吸収性材料を呈する上側表面および水を通さない下側表面を有する吸収性パッドを提供し、パッドは、
吸収性材料を含む吸収性の第１のセクションであって、子供の下着の後ろガセットおよび背部エリアに配置されるサイズに構成され、子供が下着を履いているとき、子供の肛門領域に隣接して位置する吸収性の第１のセクションと、
第１のセクションと分離しているか、あるいは、第１のセクションから直接的にまたは間接的に延在する吸収性の第２のセクションであって、子供の下着の股エリアに配置されるサイズに構成され、子供が下着を履いているとき、子供の尿道領域に隣接して位置し、第１のセクションより小さな面積を有する、吸収性の第２のセクションと、
子供の下着の内側に吸収性セクションを着脱可能に固定するための、パッドの下側表面上の固定部分と、
子供によって把持されることができ、吸収性の第１のセクションの縁部に配置される１つまたは複数のタブとを備え、
タブは、パッドが下着の中に位置するときに下着の縁部で折返され得るように、着脱可能な固定手段を備え、固定手段は、下着の外側に接触して下着に着脱可能に固定される。
【０００９】
本発明の製品は、パッドが汚染されて交換されるときに、タブが子供によって把持されることができて下着からパッドを取外す点で有利である。これは、パッドの縁部を見出すための熟練度を必要とせず、子供が、タブを力一杯引くことによって下着からパッドを容易に取外し得ることを確実にする。本発明で使用されるタブシステムはまた、より大きなテコの作用を与え、したがって、縁部を直接引張ることに比べて、パッドを取外すために必要とされる力はより少ない。
【００１０】
吸収性の第１のセクションの縁部におけるタブの場所は、このセクションが吸収性の第２のセクションより大きいため重要であり、したがって、解除するのにより大きな労力を必要とすることになる。このセクションにおける漏便はまた、細長いセクションに比べて第１のセクションを重くさせる。
【００１１】
さらに、このセクションは、このセクションの中心部だけでなく縁部に向かって漏便を含む可能性がある。パッドが汚染されているときにそのパッドを取外す人は、子供であっても、親／介護者であっても、衛生上の理由で漏便に触れることを回避したいと思うことになる。タブの備えがない場合、パッドを取外す人は、糞便との接触を回避しながら吸収性セクションを保持することが難しいことに気付くかもしれず、たとえば、親／介護者は、慌てている可能性があるか、または、自分の手が塞がっている可能性があり、必要な器用さを持つことが難しくなる。タブは、パッドを取外すときに糞便に触れることを回避することが容易であることを確実にする。
【００１２】
吸収性の第１のセクションの縁部に設けられたタブ上における固定手段の備えはまた、子供の遺糞症の問題に関連する特定の利益を提供する。特に、子供の下着は、ピッタリ合わないことが多く、特に、子供は、一般的に成人より活動的であるため、１日の間にあちこち移動することになる。したがって、肛門エリアに位置する吸収性セクションがしっかり固定されることが重要であり、子供の臀部にわたって糞便が塗り付けられること、および／または、パッドの移動によって覆いを取られたエリア内の下着が糞便で汚染されることが回避されることが重要である。したがって、下着の外側に接触し、かつ、下着の後ろガセット／背部エリア内で下着にパッドを固定するタブ固定手段は、特に有利である。遺糞症を有する子供にとって、遺糞症に一般に関連する心理学的問題および神経質さのために、どんな糞便の漏れも受取るように、パッドが所定位置に確実に位置し、パッドの位置がずれないことが分かる、という安心が必要とされる。
【００１３】
タブ固定手段は、機械式固定デバイスまたは化学的接着剤を含んでもよい。タブ固定手段は、たとえば、高摩擦材料の使用を含んでもよい。材料は、たとえば、０．３以上、０．４以上、０．５以上、０．６以上、または０．７以上の運動摩擦係数を有してもよい。運動摩擦係数は、ＡＳＴＭ  Ｄ  １８９４プロトコルに従って測定されてもよい。
【００１４】
高摩擦特性により、パッドが下着の繊維に対して把持(ｇｒｉｐ)されることになり、したがって、高摩擦材料を備えるタブ固定手段は、単に、下着の縁部で折返されて下着に押し付けられ、下着の外側にてパッドを固定し得る。
【００１５】
一実施形態では、固定デバイスは、ベルクロ(Ｖｅｌｃｒｏ)（登録商標）ブランドの下で入手可能であるような、フックタイプ固定デバイスまたはフックおよびループタイプ固定デバイスを備えてもよい。特に、マイクロベルクロ（登録商標）などの、小さなフック／ループ（たとえば、幅と高さが共に、１０〜１００マイクロメートル、または、１０〜５０マイクロメートルなどの、幅と高さが数十から数百マイクロメートル程度のフック／ループ）を有するフックタイプ固定デバイスまたはフックおよびループタイプ固定デバイスの使用が、意図されてもよい。
【００１６】
こうした固定デバイスの利点は、こうしたデバイスのフックが、下着の繊維に直接付着することになることである。したがって、タブは、単に、ガセット／背部エリア内で下着に押さえ付けられて、下着の外側にタブが固定され得る。
【００１７】
したがって、読者が理解することになるように、ベルクロ（登録商標）固定デバイスなどのフックおよびループタイプ固定デバイスが使用されると、フックが付着し得るループセクションを下着の繊維が提供するため、本発明で使用が必要であるのは、こうしたデバイスのフックセクションだけである。
【００１８】
別の実施形態では、タブ固定手段は、フロック加工材料を含んでもよい。読者が理解することになるように、フロック加工材料は、その表面上に堆積した多くの小さな繊維「フロック」を有する。特に、フロック加工材料は、その表面上に短い単繊維を有してもよい。「フロック」繊維は、表面上で直立しており、良好なスリップまたはグリップ(ｓｌｉｐ−ｏｒ−ｇｒｉｐ)摩擦特性を与える。
【００１９】
「フロック」繊維は、天然繊維または合成繊維を含んでもよい。たとえば、繊維は、ナイロン、レーヨン、またはポリエステルであってもよい。繊維は、たとえば１×１０-4ｍ〜１×１０-6ｍ、特に約１×１０-5ｍ程度、たとえば０．５×１０-5ｍ〜５×１０-5ｍの直径を有してもよい。繊維は、たとえば０．１〜１０ｍｍ、好ましくは０．２５〜５ｍｍの長さを有してもよい。繊維は、たとえば１０〜５００繊維数／ｍｍ2、一例では、８０〜３００繊維数／ｍｍ2などの５０〜４００繊維数／ｍｍ2の繊維密度で提供されてもよい。「フロック」繊維がその上に設けられる材料としては、一実施形態では、テキスタイル材料であってもよいが、紙またはプラスチックであってもよい。
【００２０】
フロック加工材料は、高電圧電界の印加により、接着剤でコーティングされた材料の表面上への繊維の付着が引き起こされて生成されてもよい。
フロック加工材料は、たとえば、ファジーフェルト(Ｆｕｚｚｙ  Ｆｅｌｔ)（登録商標）で使用されるタイプであってもよい。しかし、明らかに、「フロック」繊維がその上に設けられる材料としては、硬質であるのではなく軟質であることが好ましい。
【００２１】
こうしたタブ固定デバイスの利点は、フロック加工材料のスリップまたはグリップ摩擦特性のために、材料の「フロック」繊維が、下着の繊維にパッドを直接固定することになることである。したがって、タブは、単に、ガセット／背部エリア内で下着に押さえ付けられて、下着の外側に固定され得る。
【００２２】
吸収性の第１のセクションの縁部に任意の適した数のタブが設けられてもよい。好ましくは、３つ以上、または、４つ以上などの、２つ以上のこうしたタブが存在してもよい。好ましい実施形態では、少なくとも２つのこうしたタブが存在し、これらの２つのタブは、吸収性の第１のセクションの両側それぞれに１つのタブがあるように位置し、最も好ましくは、タブは、吸収性の第１のセクションの両側に対称に位置する。
【００２３】
両側それぞれに少なくとも１つのタブを有する、２つ以上のこうしたタブの備えは、特に有利である。その理由は、一旦パッドが汚染されてしまうと、パッドは、端部から端部へ折り畳むことができ、両側からのタブが伴って移動して、互いに固定されることができ、パッドは折り畳まれた構成で保持され、したがって、糞便がパッド内部に封入されるからである。
【００２４】
さらに、両側それぞれに少なくとも１つのタブを有する、少なくとも２つのこうしたタブの備えは、有利である。その理由は、パッドは、使用される前に、端部から端部へ折り畳むことができ、両側からのタブが伴って移動して、互いに固定されることができ、パッドは折り畳まれた構成で保持され、それにより製品がより小さくかつより目立たないように提供されるからである。したがって、これは、必要に応じた使用のため、タブを有するスペアパッドをあちこち携行することに子供が満足することを確実にする。
【００２５】
さらに、両側それぞれに１つのタブを有する、少なくとも２つのタブの使用は、吸収性の第１のセクションが均衡して汚染されてしまうとその第１のセクションが下着から持上げられることを可能にし、したがって、糞便がパッドから放り出されるリスクを減らす。
【００２６】
タブは、一実施形態では、抗バクテリアおよび／または抗微生物薬を含浸してもよい。これは、パッドを扱うことによる感染を回避するのに役立つことになる。
タブは、吸収性の第１のセクションに直接取り付けられてもよく、または、たとえばブリッジを介して間接的に取り付けられてもよい。一実施形態では、ブリッジは、タブを吸収性の第１のセクションに接続するために使用され、ブリッジは、拡張可能なまたは伸縮性がある材料から作られる。これは、タブが、その後、吸収性セクションに対してある程度の自由度であちこち移動することができ、タブを使用して、安全な、折り重ねられた構成でパッドをシールするときに、ある量の伸長が起こることを可能にすると共に、下着の外側上でのタブの容易な配置を可能にするため、有利である。
【００２７】
一実施形態では、パッドは、吸収性材料を呈する実質的に平坦な上側表面、および、使用時に下着の内側に接触する、水を通さない下側表面を有し、吸収性の第２のセクションが、第１のセクションから直接的にまたは間接的に延在する。
【００２８】
好ましくは、吸収性の第１のセクションおよび吸収性の第２のセクションは共に、実質的に平坦な上側表面を有する。
一実施形態では、吸収性材料を呈するパッドの上側表面は、実質的に平坦である。そのため、吸収性の第１のセクションと吸収性の第２のセクションの両方およびこれらのセクションにつながる任意のエリアは、実質的に平坦な上側表面を有する。パッドは、任意に、この実質的に平坦な上側表面の一部または全ての外側縁部の周りに延在する外側バリア壁を備えてもよい。こうしたバリア壁は、漏便が存在しているときに、漏れを回避するのに役立ち得る。
【００２９】
パッドは、その上側表面または下側表面からの隆起部または突出部を有するよりも、実質的に平坦であることが有利であり得る。その理由は、このことが、子供にとっての快適さを高め、したがって、製品を使用することに関して子供をリラックスさせることになるからである。
【００３０】
別の実施形態では、吸収性の第１のセクションおよび吸収性の第２のセクションは共に、実質的に平坦な上側表面を有するが、パッドの上側表面の一部を形成する任意の他のエリアは、これらの２つのセクションとともに実質的に平坦な上側表面を必ずしも形成しない。たとえば、任意に、吸収性の第１のセクションの一部または全ての外側縁部および／または吸収性の第２のセクションの一部または全ての外側縁部の周りに延在する外側バリア壁が存在してもよい。
【００３１】
好ましくは、実質的に平坦な吸収性の第１のセクションと実質的に平坦な吸収性の第２のセクションとの間に存在する任意のバリア壁は、製品を使用する子供にとっての快適さを維持するために高さが比較的低いと好ましい。たとえば、こうしたバリア壁は、１０ｍｍ以下、好ましくは、１ｍｍ〜５ｍｍなどの５ｍｍ以下の高さを有してもよい。比較的低いバリア壁の使用は、子供にとっての快適さを高め、したがって、製品を使用することに関して子供をリラックスさせることになる。
【００３２】
本発明で使用され得る任意のバリア壁は、以下でより詳細に述べられる。
好ましい実施形態では、パッドは、化学的接着剤よりもむしろ、パッドを下着に固定するための固定部分において機械式固定デバイスを使用する。このことは、パッドの解除および再配置において、パッドと下着との間の結合強度が低下しないため、パッドが誤って配置されているかどうかに子供が関心を持つ必要がなく有利である。これはまた、使用前に、子供にとって、かつ／または、手が塞がっている親／介護者にとって厄介である、剥離紙を接着剤から剥がすことについての必要性を回避する。さらに、これは、廃棄される必要がある１片のごみ（剥離紙）の生成を回避する。
【００３３】
固定部分は、高摩擦材料を含んでもよい。これは、たとえば、フェルト、ベーズ、またはフロック加工材料などの軟質性高摩擦材料であってもよい。それはまた、ベルクロ（登録商標）ブランドの下で入手可能であるようなフックおよびループ材料であってもよい。
【００３４】
材料は、たとえば、０．３以上、０．４以上、０．５以上、０．６以上、または０．７以上の運動摩擦係数を有してもよい。運動摩擦係数は、ＡＳＴＭ  Ｄ  １８９４プロトコルに従って測定されてもよい。
【００３５】
高摩擦特性により、パッドが下着の繊維に対して把持されることになり、したがって、高摩擦材料を備えるパッドの部分は、単に、下着に押し付けられて、下着の内側にパッドを固定し得る。
【００３６】
特に、一実施形態では、固定部分は、ベルクロ（登録商標）ブランドの下で入手可能であるような、フックタイプ固定デバイスまたはフックおよびループタイプ固定デバイスを備えてもよい。
【００３７】
特に、マイクロベルクロ（登録商標）などの、小さなフック／ループ（たとえば、幅と高さが共に、１０〜１００マイクロメートル、または、１０〜５０マイクロメートルなどの、幅と高さが数十から数百マイクロメートル程度のフック／ループ）を有するフックタイプ固定デバイスまたはフックおよびループタイプ固定デバイスの使用が、意図されてもよい。
【００３８】
こうした固定デバイスの利点は、こうしたデバイスのフックが、下着の繊維に直接付着することになることである。したがって、フックを備えるパッドの部分は、単に、下着に押さえ付けられて、下着の内側にパッドが固定され得る。
【００３９】
したがって、読者が理解することになるように、ベルクロ（登録商標）固定デバイスなどのフックおよびループタイプ固定デバイスが使用されると、フックが付着し得るループセクションを下着の繊維が提供するため、本発明で使用が必要とされるのは、こうしたデバイスのフックセクションだけである。
【００４０】
別の実施形態では、固定部分は、フロック加工材料を含んでもよい。読者が理解することになるように、フロック加工材料は、その表面上に堆積した多くの小さな繊維「フロック」を有する。特に、フロック加工材料は、その表面上に短い単繊維を有してもよい。「フロック」繊維は、表面上で直立しており、良好なスリップまたはグリップ摩擦特性を与える。
【００４１】
「フロック」繊維は、天然繊維または合成繊維を含んでもよい。たとえば、繊維は、ナイロン、レーヨン、またはポリエステルであってもよい。繊維は、たとえば１×１０-4ｍ〜１×１０-6ｍ、特に約１×１０-5ｍ程度、たとえば０．５×１０-5ｍ〜５×１０-5ｍの直径を有してもよい。繊維は、たとえば０．１〜１０ｍｍ、好ましくは０．２５〜５ｍｍの長さを有してもよい。繊維は、たとえば１０〜５００繊維数／ｍｍ2、一例では、８０〜３００繊維数／ｍｍ2などの５０〜４００繊維数／ｍｍ2の繊維密度で提供されてもよい。「フロック」繊維がその上に設けられる材料としては、一実施形態では、テキスタイル材料であってもよいが、紙またはプラスチックであってもよい。
【００４２】
フロック加工材料は、高電圧電界の印加により接着剤がコーティングされた材料の表面上への繊維の付着が引き起こされて生成されてもよい。
フロック加工材料は、たとえば、ファジーフェルト(Ｆｕｚｚｙ  Ｆｅｌｔ)（登録商標）で使用されるタイプであってもよい。しかし、明らかに、「フロック」繊維がその上に設けられる材料としては、硬質であるのではなく軟質であることが好ましい。
【００４３】
こうした固定デバイスの利点は、フロック加工材料のスリップまたはグリップ摩擦特性のために、材料の「フロック」繊維が、下着の繊維にパッドを直接固定することになることである。したがって、フロック加工材料を備えるパッドの部分は、単に、下着に押さえ付けられて、下着の内側にパッドが固定され得る。
【００４４】
一実施形態では、固定部分は、パッドの長さのほとんどまたは全てに沿って延在する。好ましくは、固定部分は、パッドの長さの、７０％以上、８０％以上、好ましくは９０％以上などの、６０％以上に沿って延在する。
【００４５】
一実施形態では、固定部分は、パッドの下側表面のエリアのほとんどまたは全てにわたって延在する。好ましくは、固定部分は、パッドの下側表面の、７０％以上、８０％以上、好ましくは９０％以上などの、６０％以上にわたって延在する。
【００４６】
パッドの下側表面の大部分の上で固定部分を使用することで、パッドの確実な付着がより容易となる。特に、子供または親／介護者に不快または不安をもたらすことを回避するために、パッドが容易に固定され得ることが重要である。
【００４７】
使用時、水を通さない下側表面（固定部分がその上に設けられる）は、下着の内側に接触する可能性がある。したがって、固定部分は、パッドを下着に固定し得る。明らかに、下着の内側に接触する必要があるのは、水を通さない下側表面の固定部分だけであるが、下側表面の残りの一部または全ても、下着の内側に接触してもよい。
【００４８】
吸収性の第１のセクションは、任意の適した形状であってもよい。吸収性の第１のセクションの形状は、実質的に同じ幅と長さを有してもよい。あるいは、吸収性の第１のセクションの形状の幅は、その第１のセクションの長さより大きくてもよい。一実施形態では、吸収性の第１のセクションは、実質的に三角の形状（好ましくは、実質的に等辺三角の形状）であるか、実質的に四辺の形状（好ましくは、実質的に正方の形状）であるか、または、実質的に丸い形状（好ましくは、実質的に円のまたは実質的に楕円の形状）であってもよい。
【００４９】
吸収性の第１のセクションが実質的に三角の形状である実施形態では、三角形の点が、第２のセクションに最も近い／隣接する第１のセクションの部分にあり、三角形の広がった(ｂｒｏａｄ)端部が、第２のセクションから最も離れて位置することが好ましい。
【００５０】
吸収性の第１のセクションは、任意に、吸収性の第１のセクションから外側に延在する１つまたは複数の拡張エリアを備えてもよい。たとえば、１つまたは複数の半円形状の拡張エリアが、吸収性の第１のセクションから延在してもよい。１つのこうした実施形態では、吸収性の第１のセクションは、実質的に二等辺三角の形状であるか、実質的に正方の形状であるか、実質的に円の形状であるか、または、実質的に楕円の形状であってよく、また、その周辺の周りに１つまたは複数の半円形状の拡張エリア、たとえば、２つ以上の、３つ以上の、または４つ以上の拡張エリアを備えてもよい。
【００５１】
拡張エリアは、吸収性の第１のセクションと同じ材料から作られてもよく、または任意選択で、異なる材料から作られてもよい。一実施形態では、拡張エリアは、吸収性の第１のセクションより薄い材料および／または吸収性の第１のセクションより吸収性が低い材料から作られてもよい。
【００５２】
吸収性の第１のセクションは、好適には、吸収性の第２のセクションの最大幅以上である最大幅を有する。吸収性の第１のセクションは、好適には、吸収性の第２のセクションの最小幅以上である最小幅を有する。
【００５３】
一実施形態では、吸収性の第１のセクションは、吸収性の第２のセクションの最大幅以上である最小幅を有する。
一般に、吸収性の第２のセクションは、子供の下着の股セクションの幅に合うのに適した幅を有する。しかし、吸収性の第１のセクションは、好ましくは、股セクションより広く、排出される全ての糞便がこの第１のセクションに入ることを確実にする。好ましくは、吸収性の第１のセクションの最大幅は、第２のセクションの最大幅の少なくとも１．５倍、たとえば、２倍である。
【００５４】
吸収性の第１のセクションの面積は、好適には、吸収性の第２のセクションの面積の少なくとも２倍、たとえば、３倍以上かまたは４倍以上であってもよい。
第２のセクションは、子供の下着の股セクションの幅に合うことになる任意の適した形状であってもよい。第２のセクションは、実質的に一定の幅を有してもよい。たとえば、第２のセクションは、実質的に三角であってよく、または、テーパ形状であってもよい。一実施形態では、第２のセクションは、等脚台形形状である。吸収性の第１のセクションがテーパ形状である実施形態では、より広がった端部が、第１のセクションに最も近い／隣接するこのセクションの部分にあり、より狭まった端部が、第１のセクションから最も離れて位置することが好ましい。
【００５５】
吸収性の第１のセクションおよび吸収性の第２のセクションは、直接隣接してもよく、または、両者は、ブリッジ形成セクションによって結合されてもよい。あるいは、吸収性の第１のセクションと吸収性の第２のセクションとの間に、非吸収性材料のギャップが存在してもよい。
【００５６】
好ましくは、パッドは、洗浄可能であるような材料から作られる。一実施形態では、パッドは、ある期間にわたって全て水に溶けるかまたは分解し得る材料から作られる。それらはこの分野で知られている。
【００５７】
第２のセクションは、吸収性セクションである。すなわち、これは、少量の尿漏れが、このセクションによって吸収されることを可能にすることになる。先に述べたように、遺糞症を有する子供は、しばしば、ある程度の遺尿症も有することになる。第２のセクションは、第１のセクションと同じ吸収性材料から作られてもよく、または、異なる吸収性材料から作られてもよい。
【００５８】
パッドの吸収性セクションは、任意の吸収性材料、または吸収性材料の組合せから形成されてもよい。これらの材料は、失禁パッドおよびオムツの分野でよく知られている。たとえば、コットンウールまたは同様の吸収性材料が考えられ得る。
【００５９】
第１のセクションおよび／または第２のセクションは、さらに、流体を吸収し得る吸収性結晶を備えてもよい。たとえば、ゲル結晶が設けられてもよい。パッド内へのこうした結晶の包含は、こうした結晶が、子供と接触状態にあるパッドの表面から流体を逃がす（ｗｉｃｋ）ように働くことになるため有益である。
【００６０】
一実施形態では、第１のセクションと第２のセクションとの間にバリアが設けられ、バリアは、第１のセクションから第２のセクションへ糞便が移動することを防止するように働く。従って、吸収性の第２のセクションは、第１のセクションから間接的に延在する。これは、パッドが少女用であるとき特に関連性がある。その理由は、糞便が、膣エリアの感染を潜在的に引き起こすことを回避することになるからである。バリアは、たとえば、第１のセクションと第２のセクションとの間の領域に縫い付けられるかまたは固着されてもよい。
【００６１】
別の実施形態では、第１のセクションと第２のセクションとの間にギャップが設けられ、ギャップは、第１のセクションから第２のセクションへ糞便が移動することを防止するように働く。従って、吸収性の第２のセクションは、第１のセクションから分離している。やはり、これは、パッドが少女用であるとき特に関連性がある。その理由は、糞便が、膣エリアの感染を潜在的に引き起こすことを回避することになるからである。
【００６２】
ギャップが設けられる実施形態では、このギャップは、吸収性材料が存在しないエリアを減少させるために、理想的には、小さくあるべきである。たとえば、第１のセクションと第２のセクションとの間の最も近い点において、ギャップは、５ｍｍ以下、好ましくは、３ｍｍ以下または２ｍｍ以下などの４ｍｍ以下、たとえば１ｍｍ以下の最大幅を有してもよい。
【００６３】
吸収性の第１のセクションは、好適には、メッシュカバーを備える。メッシュは、糞便にくっつく可能性があり、したがって、糞便がパッドにくっつき、子供の肌身から離れることを確実にする。あるいは、糞便は、メッシュにおける穴を通って落ち、メッシュカバーの下に捕捉される可能性があり、やはり、糞便が子供の肌身から離れることを確実にする。メッシュカバーは、たとえば、ハチの巣状のスタイルの織り方（ｗｅａｖｅ）を有してもよい。一実施形態では、メッシュカバーは、異なるサイズの穴を有し、糞便を取り込んで捕捉するのに役立つ。
【００６４】
吸収性の第１のセクションおよび／または吸収性の第２のセクションは、任意に、外側バリア壁を備えてもよい。これらの壁は、漏便が発生したときに、溢出および漏れを防止するように働き得る。これらの壁は、存在すると、対象となる吸収性セクションの外側縁部の周りの一部または全てに延在してもよい。
【００６５】
たとえば、外側バリアは、吸収性の第１のセクションの外側縁部の周りの一部または全てに延在してもよい。好ましくは、外側バリアは、吸収性の第１のセクションの外側縁部の、６０％以上、たとえば７０％以上、８０％以上、好ましくは９０％以上にわたって延在する。
【００６６】
一実施形態では、外側バリア壁は、吸収性の第１のセクションの外側縁部の周りの一部および吸収性の第２のセクションの外側縁部の周りの一部に延在し、これにより、パッドの上側表面の外側縁部の周りにだけ延在する。
【００６７】
別の実施形態では、外側バリア壁は、吸収性の第１のセクションの外側縁部の周りの全ておよび吸収性の第２のセクションの外側縁部の周りの全てに延在する。
別の実施形態では、外側バリア壁は、吸収性の第１のセクションの外側縁部の周りにだけ延在する。
【００６８】
対象となる吸収性セクションの外側縁部にまたは外側縁部の近くに、バリア壁が位置してもよいことを読者は理解するであろう。一実施形態では、壁は、外側縁部に配置されるが、別の実施形態では、壁は、わずかに外側縁部の内部に、たとえば、０．５ｃｍ以下などの外側縁部の１ｃｍ以下、たとえば、０．２５ｃｍ以下以内に配置されてもよい。
【００６９】
バリア壁は、任意の材料から作られてもよい。一実施形態では、バリア壁は、先に説明した吸収性材料などの吸収性材料から作られる。別の実施形態では、バリア壁は、防水材料で作られるか、または、その最も外側の表面上に防水材料を有する。
【００７０】
バリア壁は、吸収性セクションの延長であることによって生成されてもよい。たとえば、吸収性材料の縁部を折返すことによって上方に延在する壁を形成してバリア壁が形成されてもよく、または、吸収性セクションの縁部に吸収性材料の肉厚のセクションを設けることによって形成されてもよい。
【００７１】
バリア壁は、たとえば、１０ｍｍ以下、たとえば、２ｍｍ〜５ｍｍなどの１ｍｍ〜１０ｍｍの高さを有してもよい。バリア壁は、たとえば、２ｍｍ〜５ｍｍなどの１ｍｍ〜１０ｍｍの厚さを有してもよい。
【００７２】
第１のセクションおよび／または第２のセクションは、石鹸成分が含まれずｐＨバランスがとれたクレンジング剤を含浸してもよい。特に、皮膚から漏便を緩ませ浮かせ得る、石鹸成分が含まれないクレンジングフォーム、たとえば、バーナケア  センセット（Ｖｅｒｎａｃａｒｅ  Ｓｅｎｓｅｔ）皮膚クレンジングフォームが使用されてもよい。高い浸潤特性を有するクレンジング剤は、この点で特に有益である。
【００７３】
理想的には、薬剤は、皮膚と接触すると、高い防水バリアを提供しても良く、したがって、皮膚炎または他の皮膚炎症が、湿った皮膚から発症することを防止し、また、尿の酸作用から皮膚を保護する。
【００７４】
パッドは、水を通さない下側表面を有する。これは、パッドに防水裏当てを設けることによって達成されてもよく、子供の下着に流体がしみ込むことを防止する。
パッドは、匂い中和剤および／または芳香剤を含んでもよい。
【００７５】
パッドは、好ましくは、長さが１０ｃｍ〜２５ｃｍ、より好ましくは、長さが１５ｃｍ〜２０ｃｍである。
パッドは、好適には、５〜１５ｃｍ、好ましくは７〜１２ｃｍの、吸収性の第１のセクション内に存在する最大幅を有する。
【００７６】
パッドは、好適には、１〜１０ｃｍ、好ましくは１．５〜５ｃｍの、吸収性の第２のセクション内に存在する最小幅を有する。
パッドは、好適には、０．１〜１ｃｍなどの１．５ｃｍ以下の深さを有する。
【００７７】
第２の態様では、本発明は、パッドを収容するサイズに作られたパウチと組合せて、第１の態様によるパッドを備えるキットを提供する。
パウチは、たとえば、プラスチックパウチまたは繊維パウチであってもよい。パウチは、好ましくは、生分解性プラスチックなどの生分解性材料で作られてもよい。
【００７８】
パウチは、好ましくはシール可能であり、最も好ましくは再シール可能である。これは、未使用パッドが、使用のために必要とされるまで、パウチ内に設けられ、パウチ内にシールされ得る点で有利である。パッドは、一旦汚染されると、交換されてパウチ内に入れられることができ、パウチは、再シールされることができて汚染された生成物を固定する。これは、汚染された生成物が、適した廃棄点に達するまで、衛生的な方法で保たれることを可能にする。
【００７９】
パウチは、たとえば、開封および再シール可能に閉鎖されるフラップによって覆われる上部開口を有してもよい。
本発明は、ここで、図面を参照して、例示の方法によってさらに説明される。
【図面の簡単な説明】
【００８０】
【図１】本発明によるパッドの上からの平面図である。
【図２】図１のパッドの下からの平面図である。
【図３】図１のパッドを通した断面図である。
【図４】部分的に折り重ねられた構成の、図１のパッドの上からの図である。
【図５】完全に折り重ねられた構成の、図１のパッドの上からの図である。
【図６】本発明によるパッドの吸収性セクション用の代替の構成を示す上からの平面図である。
【図７ａ−７ｂ】本発明によるパッド用のオプションのバリア壁機構を示す上からの平面図である。
【図８】本発明によるパッドの固定部分用の代替の構成を示す下からの平面図である。
【発明を実施するための形態】
【００８１】
図１〜３に示すパッドは、遺糞症および遺尿症を有する子供が使用するのに適する吸収性パッド１である。パッドは、子供の下着の内側の場所用である。
パッドは、吸収性材料を呈する実質的に平坦な上側表面、および、使用時に下着の内側に接触する、水を通さない下側表面を有する。水を通さない下側表面は、防水裏当て９を備える。
【００８２】
パッドは、吸収性材料２ａを含む実質的に平坦な吸収性の第１のセクション２を有する。この第１のセクションは、子供の下着の後ろガセットおよび背部エリアに配置されるサイズに作られ、子供が下着を履いているとき、子供の肛門領域に隣接して位置する。
【００８３】
パッドはまた、第１のセクション２から直接延在する、実質的に平坦な吸収性の第２のセクション３を有する。この第２のセクションは、子供の下着の股エリアに配置されるサイズに作られ、子供が下着を履いているとき、子供の尿道領域に隣接して位置する。
【００８４】
第１のセクションは実質的に円であり、一方、第２のセクションは、テーパ形状であり、第１のセクションから狭くなることが見てわかる。第２のセクションは、第１のセクションより小さい面積を有する。
【００８５】
パッドはまた、吸収性セクション２、３を、子供の下着の内側に着脱可能に固定するために、パッドの下側表面上に固定部分８を含む。これは、パッドの全長に沿って実質的に中心に延びるマイクロベルクロ（登録商標）のストリップである。ストリップは、ベルクロ（登録商標）のループ供給ストリップというよりも、フック供給ストリップである。このマイクロベルクロ（登録商標）ストリップのフックは、下着の繊維に直接付着することになる。したがって、パッドは、単に下着に押し付けられて、下着の内側にパッドを固定し得る。同様に、固定部分８は、下着に把持されてパッドを固定するフロック加工材料などの任意の他の高摩擦材料であってもよい。
【００８６】
パッドはまた、子供によって把持され得る２つのタブ４ａを含む。これらの２つのタブは、吸収性の第１のセクション２の両側に対称に位置する。
タブ４ａは、マイクロベルクロ（登録商標）のセクションである着脱可能な固定手段７を備える。ストリップは、ベルクロ（登録商標）のループ供給ストリップというよりも、フック供給ストリップである。このマイクロベルクロ（登録商標）ストリップのフックは、下着の繊維に直接付着することになる。これは、パッド１が下着の中に位置するときに、タブ４ａが、下着の縁部で折返されることができ、マイクロベルクロ（登録商標）固定手段が、下着の外側に接触し、着脱可能に下着の外側に固定されることを意味する。これらのタブはまた、折り重ねられた構成でパッドを固定するのを補助するために使用され得る。同様に、固定手段７は、下着に把持されてパッドを固定するフロック加工材料などの任意の他の高摩擦材料であってもよい。
【００８７】
パッド１はまた、さらなるタブ４ｂを備え、両端それぞれに１つ備える。これらは、パッドの全長に沿って延びるマイクロベルクロ（登録商標）の固定ストリップ８と実質的に直線的に並ぶ。これらのさらなるタブ４ｂは、マイクロベルクロ（登録商標）のセクションである着脱可能な固定手段７を備える。これは、タブ４ｂが、子供の下着の所定位置にパッドを固定することを助けるのに使用され得ることを意味する。これらのタブはまた、折り重ねられた構成でパッドを固定するのを補助するために使用され得る。タブ４ａ、４ｂは、ブリッジ（図示せず）を介してパッド１に間接的に付着する。ブリッジは、伸縮性がある材料から作られる。これは、タブの移動の柔軟性を提供する。
【００８８】
パッド２、３の吸収性セクション間に粘着されるかまたは接合されたバリア５が設けられ、そのバリアは、糞便が第１のセクションから第２のセクションへ移動することを防止するように働く。
【００８９】
パッド２、３の吸収性セクションは、任意の吸収性材料２ａ、たとえば、コットンウールまたは同様の吸収性材料から形成されてもよい。パッド２、３の吸収性セクションは、石鹸成分が含まれずｐＨバランスがとれたクレンジングフォーム、たとえば、皮膚から漏便を緩ませ浮かせ得るバーナケア  センセット（Ｖｅｒｎａｃａｒｅ  Ｓｅｎｓｅｔ）皮膚クレンジングフォームを含浸してもよい。
【００９０】
吸収性の第１のセクション２は、ハチの巣状のスタイルの織り方（ｗｅａｖｅ）を有するメッシュカバー６を備える。メッシュカバーは、異なるサイズの穴を有し、糞便を取り込み捕捉するのに役立つ。パッド２、３の吸収性セクションは、流体を吸収し得る吸収性ゲル結晶（図示せず）を備えてもよい。パッド２、３の吸収性セクションは、匂い中和剤および／または芳香剤を含んでもよい。
【００９１】
図４および５は、使用前において格納するため、および使用後において糞便を収容するため、両方において、パッドがどのように折り重ねられるかを示す。
図４では、防水裏当てが外側に、吸収性材料２ａおよびメッシュ６が内側になるように、第２のセクション３が、第１のセクション２の上に折り重ねられ得ることが見てわかる。これは、パッドの両端それぞれからタブ４を互いに重なるようにさせることになる。パッドの両端それぞれのタブ４ｂは、その後、タブ上のマイクロベルクロ（登録商標）固定手段７を使用して一緒に固定されて、パッドを、この折り重ねられた構成に維持し得る。
【００９２】
図５では、２つの縁部タブ４ａが、第１のセクション２の縁部を一緒にして防水裏当てを外側にするように使用されることができ、タブ４ａが、そのとき、中央で一緒に固定されることが見てわかる。これは、吸収性材料２ａおよびメッシュ６内に取り込まれた任意の廃物が、折り重ねられたパケットの内部で固定されることを確実にする。タブ４ａ上のマイクロベルクロ（登録商標）固定手段７は、タブを一緒に固定し、折り重ねられたパケット構成でパッドを維持する。
【００９３】
図６は、吸収性の第１のセクション２と吸収性の第２のセクション３との間にギャップ５ａが設けられるパッドの変形を示し、ギャップ５ａは、糞便が第１のセクションから第２のセクションへ移動することを防止するように働く。従って、吸収性の第２のセクションは、第１のセクションから分離している。
【００９４】
図７ａおよび７ｂは、パッドの変形を示し、実質的に平坦な吸収性の第１のセクション２および／または実質的に平坦な吸収性の第２のセクション３が、外側バリア壁１０ａ、１０ｂを備える。図７ａは、外側バリア壁１０ａを備える吸収性の第１のセクション２および外側バリア壁１０ｂを備える吸収性の第２のセクション３を示す。図７ｂは、吸収性の第１のセクション２だけが外側バリア壁１０ａを備える実施形態を示す。
【００９５】
バリア壁は、漏便が発生したときに、溢出および漏れを防止するように働く。
図８は、パッドの変形を示し、固定部分８がパッドの下側表面全体にわたって延在する。
【図１】
0005485989.tif 000002
【図２】
0005485989.tif 000003
【図３】
0005485989.tif 000004
【図４】
0005485989.tif 000005
【図５】
0005485989.tif 000006
【図６】
0005485989.tif 000007
【図７ａ】
0005485989.tif 000008
【図７ｂ】
0005485989.tif 000009
【図８】
0005485989.tif 000010